(57)【要約】【課題】携帯機器に取り付けたアナログ時計において、携帯機器の電池電圧が低下し、携帯機器が動作できないような場合でも、アナログ時計は時刻表示を継続することがことができるアナログ時計を備えた携帯情報機器を提供する。【解決手段】指針の運針を行うモータと、モータに対して運針駆動パルスを与えることにより、モータを駆動させて指針の運針を行うモータ駆動手段と、モータ駆動手段の動作を制御する指針駆動制御手段とを備えた電気式のアナログ時計が装着された携帯情報機器であって、アナログ時計の指針を動かす制御を指針駆動制御手段自身が行うか、携帯情報機器から出力される指針駆動信号を指針駆動制御手段に入力し、該指針駆動信号に基づいてアナログ時計の指針を動かす制御を行うかを切り替え可能にした。【選択図】  図１
2010271239.tif 000002
【特許請求の範囲】
【請求項１】
指針の運針を行うモータと、
前記モータに対して運針駆動パルスを与えることにより、前記モータを駆動させて指針の運針を行うモータ駆動手段と、
前記モータ駆動手段の動作を制御する指針駆動制御手段と
を備えた電気式のアナログ時計が装着された携帯情報機器であって、
前記アナログ時計の指針を動かす制御を前記指針駆動制御手段自身が行うか、前記携帯情報機器から出力される指針駆動信号を前記指針駆動制御手段に入力し、該指針駆動信号に基づいて前記アナログ時計の指針を動かす制御を行うかを切り替え可能にしたことを特徴とする携帯情報機器。
【請求項２】
前記携帯情報機器は、前記携帯情報機器自身の動作ができなくなる状態が近づいている場合に、前記アナログ時計の指針を動かす制御を前記指針駆動制御手段自身が行うようにし、前記携帯情報機器自身の動作が十分に可能な状態である場合に、前記携帯情報機器から出力される指針駆動信号を前記指針駆動制御手段に入力し、該指針駆動信号に基づいて前記アナログ時計の指針を動かす制御を行うことを特徴とする請求項１に記載の携帯情報機器。
【請求項３】
前記携帯情報機器から出力される指針駆動信号を前記指針駆動制御手段に入力し、該指針駆動信号に基づいて前記アナログ時計の指針を動かす制御を行っている際に、前記指針駆動信号が所定時間入力されなかったときに、前記指針駆動制御手段は、前記アナログ時計の指針を動かす制御を前記指針駆動制御手段自身が行うように切り替えを行うことを特徴とする請求項１に記載の携帯情報機器。
【請求項４】
前記アナログ時計の指針を動かす制御を切り替える場合に、前記携帯情報機器と前記アナログ時計との間で、アナログ時計の指針を動かす制御を行っている針位置情報を受け渡すことを特徴とする請求項１から３のいずれかに記載の携帯情報機器。
【請求項５】
指針の運針を行うモータと、
前記モータに対して運針駆動パルスを与えることにより、前記モータを駆動させて指針の運針を行うモータ駆動手段と、
前記モータ駆動手段の動作を制御する指針駆動制御手段と
を備えた電気式のアナログ時計が装着された携帯情報機器における運針制御方法であって、
前記アナログ時計の指針を動かす制御を前記指針駆動制御手段自身が行うか、前記携帯情報機器から出力される指針駆動信号を前記指針駆動制御手段に入力し、該指針駆動信号に基づいて前記アナログ時計の指針を動かす制御を行うかを切り替えて前記アナログ時計の指針の運針を行うことを特徴とする運針制御方法。
【発明の詳細な説明】
【技術分野】
【０００１】
本発明は、電気式のアナログ時計（針式の機械時計でモータ等によって運針する時計）、電気式のアナログ時計を備えた携帯情報機器及び運針制御方法に関する。
【背景技術】
【０００２】
従来から、アナログ時計を他の携帯機器と組み合わせ、携帯機器の時刻表示手段としてアナログ時計を使用する技術が知られている。例えば、時計電源と携帯機器電源を共通化（例えば、特許文献１参照）する技術や指針を時刻を計時する回路からの信号に従って駆動する技術（例えば、特許文献２参照）、さらには、外部と通信し、取得した情報に応じて時計の機能・指針の動作を変更する（例えば、特許文献３参照）技術などがある。
【先行技術文献】
【特許文献】
【０００３】
【特許文献１】特開２００４−０７２４９７号公報
【特許文献２】特開２００４−２００９１８号公報
【特許文献３】再表０１／００６３２９号公報
【発明の概要】
【発明が解決しようとする課題】
【０００４】
ところで、実際にアナログ時計をホスト機器である携帯機器に搭載し、アナログ時計部分で時刻表示を行うように構成し、携帯機器側の時刻とアナログ時計の時刻を同期させるために、アナログ時計、携帯機器それぞれ別に時刻をカウントし、適宜、同期を取るように構成して同期を取った結果、アナログ時計の時刻を遅らせなければならないときには指針を運針するモータを逆転させる必要がある。指針を運針するモータを逆回転させるには、アナログ時計にモータの逆転駆動回路が必須となってしまい、アナログ時計の回路規模が大きくなってしまうとともに、アナログ時計が携帯機器から正しい時刻または針位置情報を受け取り、その位置まで駆動させるといった制御動作が必要となり、制御が煩雑となってしまうという問題がある。
【０００５】
一方、特許文献２に開示されているように、携帯機器の時刻を計時する回路からの信号に従って、指針を駆動させた場合、通常時は時刻同期を容易に取れるが、携帯機器の電源電圧が低下して携帯機器が動作できなくなった場合には、アナログ時計も動作しなくなってしまうという問題がある。一般的にアナログ時計は低電圧・省電力化が進んでおり、携帯機器の動作可能電圧よりも低い電圧で駆動させることが可能であるため、アナログ時計は十分動作が可能であるのに、動作しない事態になり、アナログ時計の動作持続時間が実力よりも短くなってしまうという問題がある。
【０００６】
本発明は、このような事情に鑑みてなされたもので、携帯機器に取り付けたアナログ時計において、携帯機器の電池電圧が低下し、携帯機器が動作できないような場合でも、アナログ時計は時刻表示を継続することができるアナログ時計を備えた携帯情報機器及び運針制御方法を提供することを目的とする。
【課題を解決するための手段】
【０００７】
本発明は、指針の運針を行うモータと、前記モータに対して運針駆動パルスを与えることにより、前記モータを駆動させて指針の運針を行うモータ駆動手段と、前記モータ駆動手段の動作を制御する指針駆動制御手段とを備えた電気式のアナログ時計が装着された携帯情報機器であって、前記アナログ時計の指針を動かす制御を前記指針駆動制御手段自身が行うか、前記携帯情報機器から出力される指針駆動信号を前記指針駆動制御手段に入力し、該指針駆動信号に基づいて前記アナログ時計の指針を動かす制御を行うかを切り替え可能にしたことを特徴とする。
【０００８】
本発明は、前記携帯情報機器は、前記携帯情報機器自身の動作ができなくなる状態が近づいている場合に、前記アナログ時計の指針を動かす制御を前記指針駆動制御手段自身が行うようにし、前記携帯情報機器自身の動作が十分に可能な状態である場合に、前記携帯情報機器から出力される指針駆動信号を前記指針駆動制御手段に入力し、該指針駆動信号に基づいて前記アナログ時計の指針を動かす制御を行うことを特徴とする。
【０００９】
本発明は、前記携帯情報機器から出力される指針駆動信号を前記指針駆動制御手段に入力し、該指針駆動信号に基づいて前記アナログ時計の指針を動かす制御を行っている際に、前記指針駆動信号が所定時間入力されなかったときに、前記指針駆動制御手段は、前記アナログ時計の指針を動かす制御を前記指針駆動制御手段自身が行うように切り替えを行うことを特徴とする。
【００１０】
本発明は、前記アナログ時計の指針を動かす制御を切り替える場合に、前記携帯情報機器と前記アナログ時計との間で、アナログ時計の指針を動かす制御を行っている針位置情報を受け渡すことを特徴とする。
【００１１】
本発明は、指針の運針を行うモータと、前記モータに対して運針駆動パルスを与えることにより、前記モータを駆動させて指針の運針を行うモータ駆動手段と、前記モータ駆動手段の動作を制御する指針駆動制御手段とを備えた電気式のアナログ時計が装着された携帯情報機器における運針制御方法であって、前記アナログ時計の指針を動かす制御を前記指針駆動制御手段自身が行うか、前記携帯情報機器から出力される指針駆動信号を前記指針駆動制御手段に入力し、該指針駆動信号に基づいて前記アナログ時計の指針を動かす制御を行うかを切り替えて前記アナログ時計の指針の運針を行うことを特徴とする。
【発明の効果】
【００１２】
本発明によれば、電気式のアナログ時計において、指針を動かす制御をアナログ時計自身が行うか、通信を介して携帯情報機器が行うかを選択できるようにしたため、携帯情報機器の電源が動作に十分な電圧のときは、通信を介して携帯情報機器がアナログ時計の指針を制御し、携帯情報機器が動作できなくなる電源電圧となった場合には、アナログ時計自身が指針を制御するように切り替えることができ、アナログ時計が時刻を刻む動作を停止させることなく続行させることができるという効果が得られる。
【図面の簡単な説明】
【００１３】
【図１】本発明の一実施形態の構成を示すブロック図である。
【図２】図１に示す装置の動作を示すフローチャートである。
【図３】図１に示す装置の動作を示すフローチャートである。
【図４】図１に示す装置の動作を示すフローチャートである。
【図５】図１に示す装置の動作を示すフローチャートである。
【図６】図１に示す装置の動作を示すフローチャートである。
【図７】図１に示す装置の動作を示すフローチャートである。
【発明を実施するための形態】
【００１４】
＜第１の実施形態＞
以下、図面を参照して、本発明の第１の実施形態によるアナログ時計を備えた携帯情報機器を説明する。図１は同実施形態の構成を示すブロック図である。この図において、符号１は、電気式アナログ時計（針式の機械時計でモータ等によって運針する時計）で構成するアナログ時計である。符号２は、携帯電話端末装置等の携帯情報機器であり、アナログ時計１が筐体の一部に埋め込まれており、使用者が時刻を確認することができるようになっている。
【００１５】
符号１０は、時刻を示す指針であり、長針、短針、秒針から構成する。符号１１は、アナログ時計１の処理動作を統括して指針１０の運針を制御する指針駆動制御部である。符号１２は、指針駆動制御部１１から出力する運針用駆動パルスの情報に基づいて、運針用駆動パルスを出力するモータ駆動回路である。符号１３は、指針１０を運針するためのモータであり、モータ駆動回路１２から出力する運針用駆動パルスに基づいて回転が制御される。符号１４は、モータの回転軸に接続された輪列（歯車の集合体）である。符号１５は、アナログ時計１が動作するために必要な電力を供給する電源であり、電池等で構成する。符号１６は、水晶発振子を備え、運針タイミングの信号を出力する発振回路であり、秒針を運針するために、１秒毎に運針タイミング信号を出力する。符号１７は、情報を記憶する記憶部である。符号１８は、運針の制御をアナログ時計１自身が行うか、携帯情報機器２から出力される運針指示の情報に基づいて行うかを切り替えるための情報を記憶する制御切替情報記憶部である。符号１９は、携帯情報機器２との間で情報通信を行う通信部であり、無線通信または有線通信が用いられる。
【００１６】
符号２１は、携帯情報機器２の処理動作を統括して制御する制御部である。符号２２は、液晶のディスプレイ装置等から構成する表示部である。符号２３は、基地局との無線通信回線を確立し、基地局が接続される移動通信網を介して情報通信を行う外部通信部である。符号２４は、携帯情報機器２が動作するために必要な電力を供給する電源部であり、電池等から構成する。符号２５は、情報を記憶する記憶部である。符号２６は、水晶発振子を備え、携帯情報機器２内で時刻を刻むための信号を出力する発振回路である。符号２７は、アナログ時計１との間で情報通信を行う通信部である。
【００１７】
次に、図１を参照して、指針１０の運針を行う基本動作を説明する。まず、指針駆動制御部１１は、記憶部１７から運針用駆動パルスの情報を読み出す。そして、指針駆動制御部１１は、モータ駆動回路１２に対して、読み出した運針用駆動パルスの情報を出力する。これを受けて、モータ駆動回路１２は、指針駆動制御部から出力された運針用駆動パルスの情報に基づいて、モータ１３に対して出力するべき運針用駆動パルスの設定を行う。この設定により、指針駆動信号をモータ駆動回路１２へ出力すると、設定された運針用駆動パルスがモータ１３に与えられ、例えば、秒針が１秒分運針することになる。
【００１８】
次に、指針駆動制御部１１は、発振回路１６から出力される運針タイミング信号が出力される度に、モータ駆動回路１２に対して、指針駆動信号を出力する。これを受けてモータ駆動回路１２は、先に設定された運針用駆動パルスをモータ１３に対して出力する。これによりモータ１３が回転することになり、モータ１３の回転軸の回転動作が輪列１４を介して指針１０へ伝達し、指針１０が運針することになる。
【００１９】
次に、図２を参照して、図１に示すアナログ時計１と携帯情報機器２の時刻表示を同期させる動作を説明する。図２は、図１に示すアナログ時計１と携帯情報機器２の時刻表示を同期させる通常時の動作を示すフローチャートである。制御切替情報記憶部１８には、運針を携帯情報機器２から出力される運針指示の情報に基づいて行うことを示す情報が記憶されているものとする。まず、制御部２１は、発振回路２６から出力される信号をカウントすることにより、時刻情報を更新する（ステップＳ１）。そして、制御部２１は、指針１０を駆動するタイミングになったか（秒針を備えていれば１秒経過したか、秒針を備えておらず分針と時針のみの場合は１分経過したか）否かを判定する（ステップＳ２）。この判定の結果、指針１０を駆動するタイミングになっていなければ、ステップＳ１に戻る。一方、指針１０を駆動するべきタイミングになった場合、制御部２１は、通信部２７を介して、アナログ時計１に対して、指針駆動信号を出力する（ステップＳ３）とともに、記憶部２５に針位置情報（指し示している時刻情報）を記憶する（ステップＳ４）。
【００２０】
一方、指針駆動制御部１１は、携帯情報機器２から指針駆動信号が出力されたか否かを判定する（ステップＳ５）。この判定の結果、指針駆動信号が出力されていなければ、出力されるまで待機する。通信部１９を介して、指針駆動制御部１１に指針駆動信号が入力された場合、指針駆動制御部１１は、モータ駆動回路１２へ指針駆動信号を出力する（ステップＳ６）。これを受けて、モータ駆動回路１２は、先に設定された運針用駆動パルスをモータ１３に対して出力する。これによりモータ１３が回転することになり、モータ１３の回転軸の回転動作が輪列１４を介して指針１０へ伝達し、指針１０が運針することになる。
【００２１】
次に、図３を参照して、図１に示すアナログ時計１と携帯情報機器２の時刻表示を同期させる場合に、運針制御の切替を行う動作を説明する。図２は、図１に示すアナログ時計１と携帯情報機器２の時刻表示を同期させる場合に、運針制御の切替を行う動作を示すフローチャートである。まず、制御部２１は、電源２４の電圧を検出し、電源電圧が所定値（例えば、携帯情報機器が動作できる最低電圧）以下になったか否かを判定する（ステップＳ１１）。この判定の結果、所定値以下になっていなければ、図２に示す通常動作を継続する。一方、電源電圧が所定値以下である場合、制御部２１は、通信部２７を介してアナログ時計１に対して、指針制御をアナログ時計１に切り替えることを示す情報を出力する（ステップＳ１２）。そして、制御部２１は、記憶部２５に記憶されている針位置情報を読み出し、通信部２７を介してアナログ時計１に対して、読み出した針位置情報を出力する（ステップＳ１３）。
【００２２】
指針駆動制御部１１は、携帯情報機器２から指針制御の切替えを行うことを示す情報が出力されたか否かに基づいて、指針制御がアナログ時計１に移行したか否かを判定する（ステップＳ１４）。この判定の結果、指針制御の切替えを行うことを示す情報が出力されていなければ、図２に示す通常動作を継続する。一方、携帯情報機器２から指針制御の切替えを行うことを示す情報が出力された場合、指針駆動制御部１１は、通信部１９を介して、携帯情報機器２から出力される針位置情報を入力し（ステップＳ１５）、入力した針位置情報を記憶部１７に記憶するとともに、制御切替情報記憶部１８に運針の制御をアナログ時計１自身が行うことを示す情報を記憶する。
【００２３】
指針駆動制御部１１は、発振回路１６から出力される信号をカウントすることにより、時刻情報を更新する（ステップＳ１６）。そして、指針駆動制御部１１は、指針１０を駆動するタイミングになったか否かを判定する（ステップＳ１７）。この判定の結果、指針１０を駆動するタイミングになっていなければ、ステップＳ１６に戻る。一方、指針１０を駆動するべきタイミングになった場合、指針駆動制御部１１は、モータ駆動回路１２へ指針駆動信号を出力する（ステップＳ１８）。これを受けて、モータ駆動回路１２は、先に設定された運針用駆動パルスをモータ１３に対して出力する。これによりモータ１３が回転することになり、モータ１３の回転軸の回転動作が輪列１４を介して指針１０へ伝達し、指針１０が運針することになる。続いて、指針駆動制御部１１は、記憶部１７に針位置情報を記憶する（ステップＳ１９）。
【００２４】
次に、図４を参照して、図１に示すアナログ時計１と携帯情報機器２の時刻表示を同期させる場合に、運針制御の切替を行う動作を説明する。図４は、図１に示すアナログ時計１と携帯情報機器２の時刻表示を同期させる場合に、運針制御の切替を行う動作を示すフローチャートである。まず、制御部２１は、電源２４の電圧を検出し、電源電圧が所定値（例えば、携帯情報機器が動作できる最低電圧）以上になった（ステップＳ２１）場合に、通信部２７を介してアナログ時計１に対して、指針制御を携帯情報機器２に切り替えることを示す情報を出力する（ステップＳ２２）。そして、制御部２１は、アナログ時計１から出力される針位置情報を通信部２７を介して入力し（ステップＳ２３）、記憶部２５に記憶し、図２に示す通常時動作に戻る。
【００２５】
一方、指針駆動制御部１１は、携帯情報機器２から指針制御の切替えを行うことを示す情報が出力されたか否かに基づき指針制御が携帯情報機器２に移行した（ステップＳ２４）場合、制御切替情報記憶部１８に運針の制御を携帯情報機器２が行うことを示す情報を記憶する。指針駆動制御部１１は、記憶部１７に記憶されている針位置情報を通信部１９を介して携帯情報機器２へ出力し（ステップＳ２５）、図２に示す通常時動作に戻る。
【００２６】
＜第２の実施形態＞
次に、本発明の第２の実施形態によるアナログ時計を備えた携帯情報機器を説明する。第２の実施形態におけるアナログ時計を備えた携帯情報機器の構成は、図１に示す構成と同様であるため、詳細な構成の説明を省略する。初めに、図５を参照して、図１に示すアナログ時計１と携帯情報機器２の時刻表示を同期させる場合に、運針制御の切替を行う動作を説明する。図５は、図１に示すアナログ時計１と携帯情報機器２の時刻表示を同期させる場合に、運針制御の切替を行う動作を示すフローチャートである。まず、制御部２１は、電源２４の電圧を検出し、電源電圧が所定値（例えば、携帯情報機器が動作できる最低電圧）以下になったか否かを判定する（ステップＳ３１）。この判定の結果、所定値以下になっていなければ、図２に示す通常時動作を継続する。一方、電源電圧が所定値以下である場合、制御部２１は、通信部２７を介してアナログ時計１に対して、指針制御をアナログ時計１に切り替えることを示す情報を出力する（ステップＳ３２）。
【００２７】
指針駆動制御部１１は、携帯情報機器２から指針制御の切替えを行うことを示す情報が出力されたか否かに基づいて、指針制御がアナログ時計１に移行したか否かを判定する（ステップＳ３３）。この判定の結果、指針制御の切替えを行うことを示す情報が出力されていなければ、図２に示す通常時動作を継続する。一方、携帯情報機器２から指針制御の切替えを行うことを示す情報が出力された場合、指針駆動制御部１１は、制御切替情報記憶部１８に運針の制御をアナログ時計１自身が行うことを示す情報を記憶する。
【００２８】
次に、指針駆動制御部１１は、発振回路１６から出力される信号をカウントすることにより、時刻情報を更新する（ステップＳ３４）。そして、指針駆動制御部１１は、指針１０を駆動するタイミングになったか否かを判定する（ステップＳ３５）。この判定の結果、指針１０を駆動するタイミングになっていなければ、ステップＳ３４に戻る。一方、指針１０を駆動するべきタイミングになった場合、指針駆動制御部１１は、モータ駆動回路１２へ指針駆動信号を出力する（ステップＳ３６）。これを受けて、モータ駆動回路１２は、先に設定された運針用駆動パルスをモータ１３に対して出力する。これによりモータ１３が回転することになり、モータ１３の回転軸の回転動作が輪列１４を介して指針１０へ伝達し、指針１０が運針することになる。続いて、指針駆動制御部１１は、記憶部１７に記憶されている指針１０の運針ステップ数（運針を行った回数であり、１秒の運針であれば秒数に相当する）をインクリメントして更新する（ステップＳ３７）。これにより、記憶部１７には、指針制御がアナログ時計１側に移行している間の経過時間に進んだ運針ステップ数（１秒の運針であれば経過時間を秒で表現された値）が記憶されることになる。
【００２９】
次に、図６を参照して、図１に示すアナログ時計１と携帯情報機器２の時刻表示を同期させる場合に、運針制御の切替を行う動作を説明する。図６は、図１に示すアナログ時計１と携帯情報機器２の時刻表示を同期させる場合に、運針制御の切替を行う動作を示すフローチャートである。まず、制御部２１は、電源２４の電圧を検出し、電源電圧が所定値（例えば、携帯情報機器が動作できる最低電圧）以上になった（ステップＳ４１）場合に、通信部２７を介してアナログ時計１に対して、指針制御を携帯情報機器２に切り替えることを示す情報を出力する（ステップＳ４２）。そして、制御部２１は、アナログ時計１から出力される運針ステップ数の情報を通信部２７を介して入力し（ステップＳ４３）、記憶部２５に記憶されている針位置情報に対して、運針ステップ数を加算して、現在の針位置情報を更新し、図２に示す通常時動作に戻る。
【００３０】
一方、指針駆動制御部１１は、携帯情報機器２から指針制御の切替えを行うことを示す情報が出力されたか否かに基づき指針制御が携帯情報機器２に移行した（ステップＳ４４）場合、制御切替情報記憶部１８に運針の制御を携帯情報機器２が行うことを示す情報を記憶する。指針駆動制御部１１は、記憶部１７に記憶されている指針１０の運針ステップ数の情報を通信部１９を介して携帯情報機器２へ出力し（ステップＳ４５）、図２に示す通常時動作に戻る。
【００３１】
なお、第１、第２の実施形態においては、図１に示す電源１５を必ずしも設ける必要はなく、電源２４の電力をアナログ時計１に供給し、アナログ時計１と携帯情報機器２の電源を共通の電源としてもよい。
【００３２】
＜第３の実施形態＞
次に、本発明の第３の実施形態によるアナログ時計を備えた携帯情報機器を説明する。第３の実施形態におけるアナログ時計を備えた携帯情報機器の構成は、図１に示す構成と同様であるため、詳細な構成の説明を省略する。図７を参照して、図１に示すアナログ時計１と携帯情報機器２の時刻表示を同期させる場合に、何らかの原因で指針駆動信号が出力されないときに、アナログ時計１が自動的に指針制御の切替を行う動作を説明する。図７は、図１に示すアナログ時計１と携帯情報機器２の時刻表示を同期させる場合に、アナログ時計１が自動的に指針制御の切替を行う動作を示すフローチャートである。
【００３３】
まず、指針駆動制御部１１は、携帯情報機器２から指針駆動信号が出力されたか否かを判定する（ステップＳ５１）。そして、通信部１９を介して、指針駆動信号が入力された場合、指針駆動制御部１１は、モータ駆動回路１２へ指針駆動信号を出力する（ステップＳ５２）。これを受けて、モータ駆動回路１２は、先に設定された運針用駆動パルスをモータ１３に対して出力する。これによりモータ１３が回転することになり、モータ１３の回転軸の回転動作が輪列１４を介して指針１０へ伝達し、指針１０が運針することになる。
【００３４】
一方、指針駆動信号が入力されない場合、指針駆動制御部１１は、指針駆動信号が入力されない継続時間が所定時間（例えば１秒）以上になったか否かを判定し（ステップＳ５３）、指針駆動信号が入力されない継続時間が所定時間以上になった場合、制御切替情報記憶部１８に運針の制御をアナログ時計１自身が行うことを示す情報を記憶して、指針制御をアナログ時計１自身に切り替える（ステップＳ５４）。
【００３５】
次に、指針駆動制御部１１は、発振回路１６から出力される信号をカウントすることにより、時刻情報を更新する（ステップＳ５５）。そして、指針駆動制御部１１は、指針１０を駆動するタイミングになったか否かを判定する（ステップＳ５６）。この判定の結果、指針１０を駆動するタイミングになっていなければ、ステップＳ５５に戻る。一方、指針１０を駆動するべきタイミングになった場合、指針駆動制御部１１は、モータ駆動回路１２へ指針駆動信号を出力する（ステップＳ５７）。
【００３６】
これを受けて、モータ駆動回路１２は、先に設定された運針用駆動パルスをモータ１３に対して出力する。これによりモータ１３が回転することになり、モータ１３の回転軸の回転動作が輪列１４を介して指針１０へ伝達し、指針１０が運針することになる。続いて、指針駆動制御部１１は、記憶部１７に記憶されている指針１０の運針ステップ数（１秒の運針を行った回数であり秒数に相当する）をインクリメントして更新する（ステップＳ５８）。これにより、記憶部１７には、指針制御がアナログ時計１側に移行している間の経過時間が秒で表現された値が記憶されることになる。そして、指針駆動信号が正常に入力されるようになった時点で、図６に示すステップＳ４２〜Ｓ４５の処理動作を実行した後に、通常時動作に戻る。
【００３７】
以上、第１〜第３の実施形態において説明したように、電気式のアナログ時計において、指針を動かす制御をアナログ時計自身が行うか、通信を介して携帯情報機器が行うかを選択できるようにしたため、携帯情報機器２の電源が動作に十分な電圧のときは、通信を介して携帯情報機器がアナログ時計１の指針１０を制御し、携帯情報機器２が動作できなくなる電源電圧となった場合には、アナログ時計１自身が指針１０を制御するように切り替えることができ、アナログ時計が時刻を刻む動作を停止させることなく続行させることができる。また、携帯情報機器２が指針１０を制御する状態から、アナログ時計１が指針１０を制御する状態に切り替わったときに、携帯情報機器２からアナログ時計１に針位置情報を通知するようにしたため、携帯情報機器２とアナログ時計１に表示時刻を完全に一致させることができる。
【００３８】
また、携帯情報機器２が動作可能な電源電圧に復帰した場合には、再度、携帯情報機器２がアナログ時計１の指針制御を行うように切り替えるようにしたため、携帯情報機器２とアナログ時計１に表示時刻ずれを最低限にすることができる。このとき、アナログ時計１の針位置情報を携帯情報機器２へ通知するようにしたため、携帯情報機器２とアナログ時計１に表示時刻を完全に一致させることができる。
【００３９】
また、何らかの原因で携帯情報機器２から指針駆動信号が出力されないときに、アナログ時計１自身が自動的に指針制御の切替を行うようにしたため、アナログ時計１の表示時刻がずれて、正確な時刻を表示できなくなってしまうことを防止することができる。
【００４０】
また、指針１０をアナログ時計１自身が制御する場合には、アナログ時計１の発振回路１６が動作し、携帯情報機器２から制御される場合には、発振回路１６の動作を停止させることが可能になるため、アナログ時計１が消費する電力を低減することが可能となる。さらに、アナログ時計１と携帯情報機器２はそれぞれ別電源を備えるようにしたため、携帯情報機器の電源が抜かれてしまった場合でも、アナログ時計１は動作を続けることが可能となる。
【００４１】
なお、図１、２、３に示す指針駆動制御部１１及び制御部２１の機能を実現するためのプログラムをコンピュータ読み取り可能な記録媒体に記録して、この記録媒体に記録されたプログラムをコンピュータシステムに読み込ませ、実行することにより運針制御処理及を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【産業上の利用可能性】
【００４３】
本発明は、運針用駆動パルスによって、モータを駆動することにより機械式時計の指針を運針する電気式アナログ時計に適用可能である。
【符号の説明】
【００４４】
１・・・アナログ時計、１０・・・指針、１１・・・指針駆動制御部、１２・・・モータ駆動回路、１３・・・モータ、１４・・・輪列、１５・・・電源、１６・・・発振回路、１７・・・記憶部、１８・・・制御切替情報記憶部、２・・・携帯情報機器、２１・・・制御部、２２・・・表示部、２３・・・外部通信部、２４・・・電源、２５・・・記憶部、２６・・・発振回路
【図１】
2010271239.tif 000003
【図２】
2010271239.tif 000004
【図３】
2010271239.tif 000005
【図４】
2010271239.tif 000006
【図５】
2010271239.tif 000007
【図６】
2010271239.tif 000008
【図７】
2010271239.tif 000009